(57)【要約】  収納部（３）と、収納部（３）にヒンジ式に連結された蓋（５）と、蓋（５）を開きにくくするためのラチェット機構（２６、３７、５０、６０、７０、８０、１１０、１２０、１３０、１４０）とを含む、喫煙品用の容器（１）。
2012510934.tif 000002
【特許請求の範囲】
【請求項１】
収納部（３）と、
該収納部にヒンジ式に連結された蓋（５）と、
蓋を開きにくくするためのラチェット機構と、
を含む、喫煙品用の容器（１）。
【請求項２】
第１の協働する部分（２６、３７）と第２の協働する部分（２６、３７）を含み、第１協働部分は、蓋を開きにくくするために第２協働部分と係合するために蓋に設けられていることを特徴とする、請求項１記載の容器。
【請求項３】
第１協働部分または第２協働部分の一方は、梯子状に並んだスロット（２６）を含み、第１協働部分または第２協働部分のもう一方は、該梯子状のスロットと係合するために構成された少なくとも１つの歯（３７）を含むことを特徴とする、請求項２記載の容器。
【請求項４】
少なくとも１つの歯が、カンチレバー構造を有することを特徴とする、請求項３記載の容器。
【請求項５】
第１協働部分または第２協働部分の一方は、少なくとも１つのエンボス加工された部分（５０、６０、７０、８０）をみ、第１協働部分または第２協働部分のもう一方の部分は、複数のエンボス加工された部分（５０、６０、７０、８０）を含み、第１及び第２協働部分は、蓋を開きにくくするために摩擦係合するように構成されていることを特徴とする、請求項２記載の容器。
【請求項６】
第１協働部分（５０）がヒンジと反対側に位置する蓋の前面パネルの内側面に設けられていることを特徴とする、請求項２乃至５いずれか１項記載の容器。
【請求項７】
第１協働部分（７０）が、ヒンジと反対側に位置する蓋の前面パネルの内側面に設けられてられていることを特徴とする、請求項２乃至５いずれか１項記載の容器。
【請求項８】
容器がさらに内側の蓋（２７）を含み、第２協働部分（６０）が、第１協働部分（５０）と係合し蓋を開きにくくするために、内側の蓋に設けられていることを特徴とする、請求項２乃至７いずれか１項記載の容器。
【請求項９】
第２協働部分が、内側蓋の最上部のパネルの延長部として形成された少なくとも１つの歯を含むことを特徴とする、請求項８記載の容器。
【請求項１０】
第２協働部分は、第１協働部分と係合し、蓋を開きにくくするために、収納部のインナーフレーム（９０）に設けられていることを特徴とする、請求項２乃至８いずれか１項記載の容器。
【請求項１１】
容器が複数の対の第１及び第２協働部分を含むことを特徴とする、請求項２乃至１０いずれか１項記載の容器。
【請求項１２】
喫煙品を収納するために構成されたパック（１）を含む、請求項１乃至１１いずれか１項記載の容器。
【請求項１３】
喫煙品を収納する複数のパックを収納するために構成されたカートンを含む、請求項１乃至１１いずれか１項記載の容器。
【発明の詳細な説明】
【技術分野】
【０００１】
本発明は、紙巻きタバコなどの喫煙品用の包装(packaging)に関する。特に、本発明はヒンジ式に取り付けられた蓋を含むパケット内の喫煙品の包装に関する。
【背景技術】
【０００２】
容器の１つのパネルにヒンジ式に取り付けられた蓋を有した紙巻きタバコのパックが知られている。そのような紙巻きタバコの箱には、箱を最初に開封した後に適切に閉じた状態を維持することができない傾向があるという問題が認識されている。この問題は時々、「パックがあくびをした状態(ｙａｗｎｉｎｇ)」または「パックが笑った状態（ｓｍｉｌｉｎｇ）」と表現される場合がある。さらに、蓋が閉じている時にパックを逆さまに持った場合、蓋が紙巻きタバコの重みで開く可能性があり、したがって紙巻きタバコがパックから落ちる可能性がある。
【０００３】
下記特許文献１から５には、そのようなあくびに対抗するための機構を含むヒンジ式蓋付き容器の例が開示されている。そのような既存のパックの多くは、箱のインナーフレームに１つ以上の突出したタブ（耳部）を有する。これらの突出部は、蓋が開くことに対する抵抗を増すために、蓋の内側壁（または内側壁に設けられた溝）と係合する。
【０００４】
容器をより確実に閉じられるようにするために、蓋が開いてしまうことに対する抵抗を向上させたヒンジ式蓋付きパックを提供することが望まれている。さらにパックが適切に閉じられたことを消費者に知らせるパックを提供することが望まれている。さらに、パックを開く時、または閉じる時に、それを消費者に知らせるパックを提供することも望まれている。
【発明の概要】
【発明が解決しようとする課題】
【０００５】
本発明の１つの実施態様では、喫煙品用の容器が、収納部と、収納部にヒンジ式に連結した蓋と、蓋を開きにくくするためのラチェット機構とを含む。
【０００６】
ラチェット機構は、閉じる時より容器を開ける時の方が、力を必要とする点で非対称の操作となる。このように容器を開きにくくすることは、既存の抗あくび機構と比べて相対的に高めることができる。さらに、ラチェット機構は、容器の開きにくくするために複数の固定される位置または保持する位置を含んでいてもよい。したがって、たとえ１つの位置の抵抗が乗り越えられたとしても、残りのラチェット位置での抵抗が乗り越えられるまで、容器は、開かないようになっている。このことによってもまた容器の開きに対する（容器全体の）抵抗を、従来の抗あくび機構と比べて相対的に高めることができる。さらに、ラチェット機構は、たとえ固定する位置の１つが、その効果が弱まったり、または壊れたとしても、残りの位置は容器の開きに抵抗する効果をまだ有しているという点で頑丈である。
【０００７】
ラチェット機構の一部を少なくともヒンジ位置の反対側の蓋の前面パネルに位置させてもよい。ラチェット機構が設けられるこの位置は通常、ヒンジ位置からは最も遠く、したがって（ラチェット機構に加えられた力の強さに対して）蓋の回転を止めようと抵抗するための最も大きなモーメントを供する。
【０００８】
ラチェット機構は、対を成す歯と梯子状に並んだスロットの組み合わせを少なくとも１つまたは場合によっては複数含むものであってもよい。梯子状のスロットを蓋の前面パネルの内側に形成してもよい。それぞれの歯は、対応する梯子状のスロットと係合する。それぞれの梯子状のスロットは、蓋の開きに抵抗するためのラチェット機構の一連の連続する固定された保持位置を形成する。ラチェット機構の歯は、カンチレバー状に形成された構成を有するように切り込みによって形成してもよい。この構成により、もし容器を開くために十分な力が加えられた場合には容器が開くように、ラチェット機構に弾性が供される。
【０００９】
容器には蓋の内側に位置する第２の蓋を設けてもよい。少なくとも１つの歯が、第２の内側蓋の最上部のパネルの延長部として、第２の内側蓋に形成されてもよい。これとは別に、ラチェット機構の歯を容器のインナーフレームに形成してもよい。
【課題を解決するための手段】
【００１０】
本発明では、収納部と、収納部にヒンジ式に連結された蓋と、蓋の開きにくくするためのラチェット機構とを含む喫煙品用の容器が供される。
【００１１】
ラチェット機構は、第１の協働する部分と第２の協働する部分を含んでもよく、第１協働部分は、蓋を開きにくくするために第２協働部分と係合するために蓋に設けられている。
【００１２】
第１協働部分または第２協働部分の一方は、梯子状に並んだスロットを含んでもよく、第１協働部分または第２協働部分のもう一方は、該梯子状のスロットと係合するために構成された少なくとも１つの歯を含んでもよい。
【００１３】
少なくとも１つの歯が、カンチレバー構造を有してもよい。
【００１４】
第１協働部分または第２協働部分は、少なくとも１つのエンボス加工された部分を含んでもよく、第１協働部分または第２協働部分のもう一方の部分は、複数のエンボス加工された部分を含んでもよく、第１及び第２協働部分は、蓋を開きにくくするために摩擦係合するように構成されている。
【００１５】
第１協働部分は、ヒンジと反対側に位置する蓋の前面パネルの内側面に設けられてもよい。
【００１６】
第１協働部分は、ヒンジに隣接する蓋の側面パネルの内側面に設けられてもよい。
【００１７】
容器はさらに内側の蓋を含んでもよく、第２協働部分が、第１協働部分と係合し蓋を開きにくくするために、上記内側の蓋に設けられてもよい。
【００１８】
第２協働部分は、内側蓋の最上部のパネルの延長部として形成された少なくとも１つの歯を含んでもよい。
【００１９】
第２協働部分は、第１協働部分と係合し蓋を開きにくくするために、収納部のインナーフレームに設けられてもよい。
【００２０】
容器は、複数の対の第１及び第２協働部分を含んでもよい。
【００２１】
容器は、喫煙品を収納するために構成されたパックを含む。
【００２２】
容器は、喫煙品を収納する複数のパックを収納するために構成されたカートンを含む。
【００２３】
ラチェット機構は、容器の蓋の開きにくくし、したがって、容器をより確実に閉じられるようにできる。ラチェット機構により、容器を開けている最中または閉じている最中に、蓋を段階的に少しずつ動かせるようにできる。蓋を動かしている際に協働部分によって可聴音が発生するように構成してもよく、それによって、蓋が開いているかまたは閉じているかを消費者に知らせる。それとは別に、または、それに加えて、蓋の開閉中に協働部分によって知覚可能な振動が発生するように構成してもよく、それによって、蓋が開いているかまたは閉じているかを消費者に知らせる。
【００２４】
本発明の実施態様を、添付図面を参照し、あくまで例示を目的として以下に詳述する。
【図面の簡単な説明】
【００２５】
【図１】本発明の実施態様による、閉じた状態の箱の斜視図である。
【図２】図１に示した箱の外側の蓋が開いた状態の斜視図である。
【図３】図１に示した箱の内側の蓋と外側の蓋の両方が開いた状態の斜視図である。
【図３Ａ】複数の溝を含み、それぞれの溝には追加のスロット部分(slot annex)が設けられている梯子状構造の拡大図である。
【図４】図１から３に示した箱を形成するためのブランクである。
【図５】ヒンジ式に取り付けられた内側及び外側の蓋を有する箱の斜視図であり、内側蓋の前面パネルの外側表面には、複数の細長いエンボス加工された部分が設けられ、該部分と、該部分に対応する外側蓋の前面パネルの内側表面に設けられた複数の細長いエンボス加工された部分とが、両方の蓋が閉じられた時に摩擦係合する。
【図６】ヒンジ式の内側及び外側蓋を有する箱の斜視図であり、内側蓋の対向する両側面パネルの外側表面には、複数のエンボス加工された部分が設けられ、該部分と、該部分に対応する外側蓋の対向する両側面パネルの内側表面に設けられたエンボス加工された部分とが、両方の蓋が閉じられた時に摩擦係合する。
【図７】インナーフレーム及びヒンジ式の蓋を有する箱の斜視図であり、インナーフレームの前面パネルの外側表面には、複数の細長いエンボス加工された部分が設けられ、該部分と、外側の蓋の前面パネルの内側表面に設けられた複数の細長いエンボス加工された部分とが、外側蓋が閉じられた時に摩擦係合する。
【図８】インナーフレーム及びヒンジ式の蓋を有する箱の斜視図であり、インナーフレームの対向する両側面パネルの外側表面には、複数の細長いエンボス加工された部分が設けられ、該部分と、外側の蓋の対向する両側面パネルの内側表面に設けられた複数の細長いエンボス加工された部分とが、外側蓋が閉じられた時に摩擦係合する。
【図９】インナーフレーム及びヒンジ式の蓋を有する箱の斜視図であり、インナーフレームの対向する両側面パネルの外側表面には、扇形に配置された複数の細長いエンボス加工された部分が設けられ、該部分と、該部分の扇形の配置に対応するように設けられた外側の蓋の対向する両側面パネルの内側表面の複数の細長いエンボス加工された部分とが、外側蓋が閉じられた時に摩擦係合する。
【図１０】インナーフレーム及びヒンジ式の蓋を有する箱の斜視図であり、インナーフレームの対向する両側面パネルの外側表面には、少なくとも１つの歯が設けられ、該歯と、外側の蓋の対向する両側面パネルに配置された梯子構造とが、外側蓋が閉じられた時に係合する。
【発明を実施するための形態】
【００２６】
図１は、本発明の１つの実施態様による容器の斜視図を示す。以下に示す例において、この容器を例えば紙巻きタバコなどの喫煙品を収納するためのパック１として説明する。しかしながら、これとは別に、容器は複数のパック１を収納するために構成されたカートンを含む。パック１は収納部３と外側の蓋５とを含む。外側蓋５はパック１を開閉できるようにするために収納部３にヒンジ式に取り付けられる。図１において、パック１は完全に閉じた状態に示されている。
【００２７】
図１に示したパックの向きでは、収納部３は、前面パネル７及び背面パネル９と、２つの対向する側面パネル１１、１３と、パック１の底部を形成する閉じた端面１５を含む。外側蓋５を閉じれた時、パック１の頂部は、閉じた端面１５の反対側に位置し、外側蓋５によって覆われる。外側蓋５は、背面パネル９の上縁部に沿ってヒンジ式に収納部３に取り付けられている。外側蓋５は前面パネル１７と、２つの対向する側面パネル１９、２１と、上面パネル２３を含む。外側蓋５が閉じられた時、外側蓋５の前面パネル１７は収納部３の前面パネル７と位置合わせされ、当接し、一方、蓋５の対向する側面パネル１９、２１は収納部３の２つの対向する側面パネル１１及び１３と位置合わせされ、当接する。外側蓋５の上面パネル２３は、収納部３の閉じた端面１５に対向し、さらに、パック１の背面パネル９の頂部にヒンジ式に取り付けられている。
【００２８】
図２は、外側蓋５が開いた状態のパック１の斜視図を示す。図示された実施態様において、パック１はまた内側の蓋２７も含む。内側蓋２７は前面パネル２９と、２つの対向する側面パネル３１、３３と、上面パネル３５を含む。内側蓋２７（具体的には前面パネル２９）は、前面パネル７の上縁部に沿って収納部３にヒンジ式に取り付けられている。図２に示すように、内側蓋２７が閉じている時、内側蓋２７の前面パネル２９は、それが収納部３の前面パネル７の延長部分であることを表すように、収納部３の前面パネル７と実質的に平行である。同様に、内側蓋２７が閉じている時、内側蓋２７の対向する側面パネル３１、３３は、側面パネル３１、３３が収納部３の対向する側面壁１１、１３の延長部分をそれぞれ供するように、収納部３の対向する側面壁１１、１３と実質的に平行である。内側蓋２７の上面パネル３５は、収納部３の閉じた底面１５に対向している。また外側蓋５も閉じられた時、外側蓋５の前面パネル１７は、内側蓋２７の前面パネル２９に実質的に平行に且つ隣接して位置し、外側蓋５の対向する側面壁１９、２１は、内側蓋２７の対向する側面パネル３１、３３にそれぞれ実質的に平行に且つ隣接して位置し、さらに、外側蓋５の上面パネル２３は、内側蓋２７の上面パネル３５に実質的に平行に且つ隣接して位置する。したがって、外側蓋５は、パック１が閉じられた時、内側蓋２７に亘って完全に嵌まる。
【００２９】
図３は、外側蓋５と内側蓋２７が両方開いた状態を示す斜視図である。この構造により、パック１の収納物、たとえば紙巻きタバコのような喫煙品を触れることができる。外側蓋５及び内側蓋２７のヒンジ線は実質的に平行ではあるが、外側蓋５及び内側蓋２７は、収納部３の背面側及び前面側にそれぞれ取り付けられている。その上、外側蓋５と内側蓋２７は、それらを開く際、図３に示すように、それぞれ反対の方向に回転する。外側蓋５及び内側蓋２７のこの構成は、パック１の収納物を安全に、且つ確実に封止することに役立つ。
【００３０】
図２の形態のように、外側蓋５を開けると、内側蓋２７はほとんど、または全く抵抗なく、図３に示した形態に回転させて開けることが可能になる。しかしながら、パック１は、内側蓋２７及び外側蓋５の両方が閉じた位置にあるようにパック１が完全に閉じられている時、パック１をより開きにくくするように、ラチェット機構を組み込んでいる。特に、以下に記載の例で説明するように、ラチェット機構は、閉じた位置から開いた位置への外側蓋５を開きにくくするための複数の協働する部分を含む。
【００３１】
１つの実施態様において、ラチェット機構の協働部分は、少なくとも１つの歯３７と一連のスロット２６を含む。歯３７は、パック１開きにくくするために一連のスロット２６と係合可能である。例えば、図２及び３に示す例において、パック１は、外側蓋５の前面パネル１７の内側の面に位置する３つの梯子構造２５を含む。それぞれの梯子状構造２５は、複数の水平のスロット２６を含み、それぞれのスロット２６が箱１の底面１５に平行な方向に延びている。スロット２６は、これらスロット２６が、中間の橋渡し部分によって交互に積み重ねられて梯子構造２５を形成するように、積み重ねられた形態に構成されてもよい。
【００３２】
それぞれのスロット２６は、図３Ａの拡張された部分に示すように、追加の部分２６Ａを含んでもよい。追加部分２６Ａは、スロット２６を形成することのできる入口点を箱に供する。この例では、追加部分２６Ａは、スロット２６を形成するために取り除く必要のある材料を切り取るために切り取り工具が挿入される入口点を供する。したがって、追加部分２６Ａは、梯子状配列２５の形成を容易にする製造目的のために設けられている。
【００３３】
１つの実施態様において、それぞれの梯子状構造２５は７つのスロット２６を含むが、しかし当然のことながら、梯子状構造２５ごとのスロット２６の数は、パック１の実施態様ごとに異なってもよい。さらに、スロット２６の数は、１つのパック１の中で、ある梯子状構造２５と別の梯子状構造２５とで異なってもよい。たとえば、梯子状構造２５の１つが７つのスロット２６を含み、一方で隣接した梯子状構造２５が５つのスロット２６だけを有するものであってもよい。
【００３４】
図２に示す実施態様では、３つの梯子状構造２５が設けられているが、しかし当然のことながら、梯子状構造２５の数及び／または間隔は、ある実施態様と別の実施態様とで異なってもよい。たとえば、ある実施態様では、２つの外側の梯子状構造２５を設けないようにしてもよく、一方別の実施態様では、中央の梯子状構造２５を設けないようにしてもよい。さらに別の実施態様では、４つ、５つまたはそれ以上の梯子状構造２５を、例えば外側蓋５の前面パネル１７の内側面を横断して等間隔に設けてもよい。
【００３５】
図２及び３に示す例において、内側蓋の部分２７は、梯子状構造２５と協働する１つ以上の歯３７を含む。この例では、内側蓋２７は、歯３７が内側蓋２７の前面パネル２９に実質的に垂直に外側に向かって突出するように、内側蓋５の上面パネル３５から外側に延びた３つの歯３７を含む。それぞれの歯３７の真下には歯３７が前面パネル２９から切り抜かれて形成された、内側蓋２７の前面パネル２９に開けられた穴があってもよい。それぞれの歯３７の両側部は、内側蓋２７の上面パネル３５までカンチレバー状に形成された構成になるように切り込みされていてもよい。これにより、歯３７には上下の動きのためのある程度の弾力性または復元力が供される。
【００３６】
それぞれの歯３７は、内側蓋２７を閉じ、さらに外側蓋５が閉じられている時、それぞれの歯３７が対応する梯子状構造２５と係合するように、対応する梯子状構造２５と一直線上に位置する。特に、外側蓋５を開いているときまたは閉じている時に、それぞれの歯３７は、対応する梯子状構造２５の２つ以上のスロット２６と連続して係合する。
【００３７】
さらに具体的には、外側蓋５が閉じているとき、歯３７は最初は前面パネル１７の内面によって下方に反らされる。それぞれの梯子状構造２５に関して、第１のスロット２６が歯３７に達したとき、歯３７は対応する梯子状構造２５の第１のスロット（一番下の）の中に入り込むことによって、まっすぐな形態（すなわち、内側蓋２７の上面パネル３５と実質的に平行な形態）に戻る。蓋５がさらに閉じられると、歯３７は梯子状構造２５の第１スロット２６から外れ、歯３７が第２スロット２６に到達するまで、それぞれの梯子状構造２５の第１と第２のスロット２６の間の橋渡し部分が、再度それぞれの歯２６を下方に反らし、このとき歯３７が第２溝２６の中に入り込み、再度まっすぐな形態に跳ね返る。この工程は、蓋５が完全に閉じられるまで継続する。
【００３８】
いくつかの実施態様では、歯３７は、対応する梯子状構造２５の全長に亘って係合しなくてもよい。たとえば、図１から３に示したパック１の場合、外側蓋５が閉じられる際、梯子状構造２５の最も下のスロット２６に１つ以上が歯３７を通過したあと、歯３７は、前面パネル１７の内面の梯子状構造２５と接触しなくてもよい。同様に、外側蓋５は、歯３７が梯子状構造２５の最上部のスロットと係合する前に、完全に閉じられた位置に達してもよい。
【００３９】
外側蓋５を開くときの歯３７と梯子状構造２５の間の相互作用は、閉じるときのそれと概ね逆である。特に、外側蓋５を開くとき、歯３７がスロット２６に到達するまで、外側蓋５が動くことによって、歯３７は上方に反らされ、スロット２６に到達すると、歯３７は内側蓋２７の上面パネル３５と実質的に平行なまっすぐな形態に戻る。その後、次のスロット２６に到達するまで、現在のスロット２６と次のスロット２６の間の橋渡し部分によって、歯３７が再度上方に反らされ、そのとき歯３７は次のスロット２６内に延び、水平な状態に戻る。最終的に、外側蓋５は、歯３７が前面パネル１７の内面の梯子状構造２５から完全に外れる範囲まで開けられる。このとき、外側蓋５はラチェット機構からの更なる抵抗を受けずに開き続ける。
【００４０】
上述の歯３７と対応する梯子状構造２５の組み合わせによって、当然のことながら、内側蓋２７の上へと外側蓋５を閉じることは、外側蓋５が閉じられた時に、外側蓋２７の前面パネル１７が実質的に歯３７と垂直であるので、外側蓋５を（再度）開けることよりも幾分たやすい。すなわち、外側蓋５が閉じられた時、歯３７は対応する梯子状配列２５のスロット２６と完全に係合し、よって、外側蓋５の開きに強い抵抗を供する。この効果は、パック１の「あくび」の傾向を克服するのに役立つ。
【００４１】
図４は、図１から３に示すような本発明の１つの実施態様によるパック１を形成するためのブランクを例示している。図４におけるブランクのパネルの符号は、図１から３で説明したパネルの符号と対応している。
【００４２】
内側蓋２７はパネル２９、３５、３１及び３３を含む。収納部３との内側蓋２７のためのヒンジ部は、パネル２９とパネル７との間の線に沿って形成される。側面パネル３１及び３３は、パネル１１Ｂ及び１３Ｂからそれら両側面パネルをそれぞれ分離するために切り込みされる。パネル３１及び３３に接続したタブは、内側蓋２７の形に形成するために、パック１の組み立て時に折り曲げられ、パネル３５に接着される。歯３７は、パネル２９と３５の境界沿いに切り抜かれる。例示したブランクの内部に切り込みされるのは、歯３７を切り抜く場合と、パネル３１及び３３をパネル１１Ｂ及び１３Ｂからそれぞれ分離する場合と、梯子状配列２５のスロットを形成する場合だけである。
【００４３】
収納部３は、パネル７、１５、９、１１Ａ、１１Ｂ、１３Ａ及び１３Ｂを含む。パネル１１Ａと１３Ａに接続したタブは、収納部３の底部形状を形成するために、パック１の組み立て時に折り曲げられ、パネル１５に接着される。その後、パネル１１Ｂ及び１３Ｂが、収納部３の側面壁１１及び１３を形成するために、折り曲げられ、パネル１１Ａ及び１３Ａの外側に接着される。
【００４４】
外側蓋５は、パネル２３、１７Ａ、１７Ｂ、１９及び２１を含む。収納部３との外側蓋５のためのヒンジ部は、パネル２３とパネル９との間の線に沿って形成される。梯子状構造２５のスロットはパネル１７Ｂに切り込みされる。パネル１９及び２１に接続したタブは、外側蓋５の形に形成するために、パック１の組み立て時に折り曲げられ、パネル１７Ａに接着される。その後、パネル１７Ｂは前面パネル１７を形成するために、折り返され、パネル１７Ａに接着される。したがって、パック１の組み立て時において、パネル１９及び２１に接続したタブは、パネル１７Ａと１７Ｂの間に挟み込まれる。
【００４５】
別の実施態様では、ラチェット機構は、歯３７が内側蓋２７の側面パネル３１、３３の一方または両方に形成され、対応する梯子状構造２５のスロット２６が外側蓋５の側面パネル１９、２１の一方または両方に形成されるものであってもよい。歯３７及び梯子状構造２５は上述した方法と同じ方法で互いに係合する。
【００４６】
上記の歯３７及び梯子状配列２５とは別に、またはそれに加えて、ラチェット機構の協働部分は、それらの間の摩擦接触を通してパック１を開きにくくするための一連のエンボス加工された部分を含んでもよい。
【００４７】
図５に示すような１つの例において、一連の平行で細長いエンボス加工部分５０が、図２及び３に示したパック１に類似するパック２の外側蓋５の前面パネル１７の内側面に形成される。対応する一連の平行で細長いエンボス加工部分６０が、内側蓋２７の前面パネル２９の外側面に形成される。エンボス加工部分５０、６０は、外側蓋５の「あくび」の傾向を克服するために外側蓋５が閉じた位置にあるとき互いに接触し係合する。
【００４８】
別の例を示す図６を参照すると、一連の細長いエンボス加工部分７０が、外側蓋５の対向する両側面パネル１９、２１の内側面に扇状に形成されている。一連の細長いエンボス加工部分８０が、内側蓋２７の対向する両側面３１、３３の外側面に、対応する扇形の形態で形成される。図５を参照して説明した例と同様に、エンボス加工部分７０、８０は、外側蓋５の「あくび」の傾向を克服するために外側蓋５が閉じた位置にあるとき互いに接触し係合する。図６においては、外側及び内側蓋５、２７の側面パネル１９、２１、３１、３３に形成されたエンボス加工部分７０、８０だけが、ラチェット機構を供しているが、当然のことながら、これらエンボス加工部分７０、８０は、上記のような外側及び内側蓋５、２７の前面パネル１７、２９に形成されたエンボス加工部分５０、６０と組み合わせて用いることができる。
【００４９】
さらに、いずれかの、または全てのエンボス加工部分５０、６０、７０、８０は、上述の歯３７及び梯子状構造２５と組み合わせて用いてもよい。
【００５０】
エンボス加工部分は、「あくび」を防ぐために従来の紙巻きタバコのパックにも同じように適用可能である。例えば、図７を参照すると、従来の紙巻きタバコのパック３は、ヒンジ式の蓋１００及びインナーフレーム９０を有する収納部を含む。インナーフレーム９０は、蓋１００を開いたときに露出する前面パネル９１及び対向する側面パネル９２、９３を含む。図７に示すように、複数の平行で細長いエンボス加工部分１１０が、蓋１００の前面パネル１０１の内側表面に形成された対応する細長いエンボス加工部分１２０と相互作用するインナーフレーム９０の前面パネル９１の外側表面に形成される。
【００５１】
図８を参照すると、インナーフレーム９０の前面パネル９１及び蓋１００の前面パネル１０１のエンボス加工部分１１０、１２０とは別に、またはそれに加えて、従来のパック３は、インナーフレーム９０の対向する側面パネル９２、９３の外側表面に形成されたエンボス加工部分１３０を含んでもよい。これらエンボス加工部分１３０は、蓋１００の対向する側面パネル１０２、１０３の内側表面に形成された対応するエンボス加工部分１４０と係合できる。図８は、互いに平行に配置されているエンボス加工部分１３０、１４０を示す。しかし当然のことながら、蓋１００を適度に開きにくくするどのような形態のエンボス加工部分も用いることができる。たとえば、図９に示すように、エンボス加工部分１３０、１４０は、インナーフレーム９０の対向する側面パネル９２、９３の外側表面と、蓋１００の対向する側面パネル１０２、１０３の内側表面に、扇形に供されてもよい。
【００５２】
従来の紙巻きタバコのパック３はまた、図２及び３に関して上述したものと同様の歯３７及び梯子状構造２５からなるラチェット機構を含んでもよい。この構成は、上述のエンボス加工部分に追加することができ、または別の手段として設けることができる。さらに図１０を参照して詳述すると、歯３７をインナーフレーム９０の対向する側面パネル９２、９３の外側表面に供し、蓋１００の対向する側面パネル１０２、１０３の内側面に形成された対応する梯子状構造２５と係合させてもよい。さらにまたはこれとは別に歯３７を、蓋１００の前面パネル１０１の内側面に形成された対応する梯子状配列２５と係合させるために、インナーフレーム９０の前面パネル９１の外側面に供してもよい。当然のことながら、歯３７を、蓋１００の前面パネル１０１かまたは側面パネル１０２、１０３のどちらかを内側面に別に形成し、それに対応する梯子状配列２５を形成したインナーフレーム９０の前面パネル９０または側面パネル９２、９３の外側面と係合させてもよい。
【００５３】
上述の実施態様及び例は、本発明の効果を得るために単独で、または組み合わせて用いることができる。
【００５４】
当業者であれば、上述の実施態様に種々の変形が可能であることは明らかであろう。例えば、ラチェット機構は箱の最も長い軸に平行なヒンジ線に沿って開くパックとともに説明されているが、別の実施態様では、そのパックは、例えばヒンジ線が箱の最も長い軸に垂直であるより一般的なヒンジ式蓋付きの箱であるような、異なる軸に沿って開くパックであってもよい。さらに、ラチェット機構は、開く内側蓋と開く外側蓋を有するパックとともに説明されているが、別の実施態様では、そのパックは開く蓋を１つだけ有するものであってもよい。たとえば、ラチェット機構の歯は、別の従来のヒンジ式蓋付きのパックのインナーフレームに供されてもよい。ラチェット機構はまた、上述の箱及び図で示したパックとは異なる別の形状及び寸法のパックに用いることができる。たとえば、ラチェット機構は、歯が梯子状構造のスロットと連続して係合できるように構成された、縁部が丸められた、または面取りされたパックに設けることもできる。最後に、本発明の範囲は、特許請求の範囲及びそれらと同等の態様によって定義される。
【先行技術文献】
【特許文献】
【００５５】
【特許文献１】国際公開第ＷＯ２００４／０２８９２６号
【特許文献２】国際公開第ＷＯ０３／０３９９９８号
【特許文献３】米国特許出願第５９３８０１８号
【特許文献４】欧州特許第０８９４７３７号
【特許文献５】米国特許出願第５９０４２４４号
【図１】
2012510934.tif 000003
【図２】
2012510934.tif 000004
【図３】
2012510934.tif 000005
【図３Ａ】
2012510934.tif 000006
【図４】
2012510934.tif 000007
【図５】
2012510934.tif 000008
【図６】
2012510934.tif 000009
【図７】
2012510934.tif 000010
【図８】
2012510934.tif 000011
【図９】
2012510934.tif 000012
【図１０】
2012510934.tif 000013
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
収納部（３）と、
該収納部にヒンジ式に連結された蓋（５）と、
蓋を開きにくくするためのラチェット機構と、
を含む喫煙品用のパッケージ（１）であって、
前記ラチェット機構が前記蓋を保持する位置を複数含むことを特徴とする、パッケージ。
【請求項２】
第１の協働する部分（２６、３７）と第２の協働する部分（２６、３７）を含み、第１協働部分は、蓋を開きにくくするために第２協働部分と係合するために蓋に設けられていることを特徴とする、請求項１記載のパッケージ。
【請求項３】
第１協働部分または第２協働部分の一方は、梯子状に並んだスロット（２６）を含み、第１協働部分または第２協働部分のもう一方は、該梯子状のスロットと係合するために構成された少なくとも１つの歯（３７）を含むことを特徴とする、請求項２記載のパッケージ。
【請求項４】
少なくとも１つの歯が、カンチレバー構造を有することを特徴とする、請求項３記載のパッケージ。
【請求項５】
第１協働部分または第２協働部分の一方は、少なくとも１つのエンボス加工された部分（５０、６０、７０、８０）をみ、第１協働部分または第２協働部分のもう一方の部分は、複数のエンボス加工された部分（５０、６０、７０、８０）を含み、第１及び第２協働部分は、蓋を開きにくくするために摩擦係合するように構成されていることを特徴とする、請求項２記載のパッケージ。
【請求項６】
第１協働部分（５０）がヒンジと反対側に位置する蓋の前面パネルの内側面に設けられていることを特徴とする、請求項２乃至５いずれか１項記載のパッケージ。
【請求項７】
第１協働部分（７０）が、ヒンジと反対側に位置する蓋の前面パネルの内側面に設けられてられていることを特徴とする、請求項２乃至５いずれか１項記載のパッケージ。
【請求項８】
パッケージがさらに内側の蓋（２７）を含み、第２協働部分（６０）が、第１協働部分（５０）と係合し蓋を開きにくくするために、内側の蓋に設けられていることを特徴とする、請求項２乃至７いずれか１項記載のパッケージ。
【請求項９】
第２協働部分が、内側蓋の最上部のパネルの延長部として形成された少なくとも１つの歯を含むことを特徴とする、請求項８記載のパッケージ。
【請求項１０】
第２協働部分は、第１協働部分と係合し、蓋を開きにくくするために、収納部のインナーフレーム（９０）に設けられていることを特徴とする、請求項２乃至７いずれか１項記載のパッケージ。
【請求項１１】
容器が複数の対の第１及び第２協働部分を含むことを特徴とする、請求項２乃至１０いずれか１項記載のパッケージ。
【請求項１２】
請求項１乃至１１いずれか１項記載のパッケージを複数収納するために構成されたカートン。
【手続補正２】
【補正対象書類名】明細書
【補正対象項目名】００３５
【補正方法】変更
【補正の内容】
【００３５】
図２及び３に示す例において、内側蓋の部分２７は、梯子状構造２５と協働する１つ以上の歯３７を含む。この例では、内側蓋２７は、歯３７が内側蓋２７の前面パネル２９に実質的に垂直に外側に向かって突出するように、内側蓋２７の上面パネル３５から外側に延びた３つの歯３７を含む。それぞれの歯３７の真下には歯３７が前面パネル２９から切り抜かれて形成された、内側蓋２７の前面パネル２９に開けられた穴があってもよい。それぞれの歯３７の両側部は、内側蓋２７の上面パネル３５までカンチレバー状に形成された構成になるように切り込みされていてもよい。これにより、歯３７には上下の動きのためのある程度の弾力性または復元力が供される。
【手続補正３】
【補正対象書類名】明細書
【補正対象項目名】００４０
【補正方法】変更
【補正の内容】
【００４０】
上述の歯３７と対応する梯子状構造２５の組み合わせによって、当然のことながら、内側蓋２７の上へと外側蓋５を閉じることは、外側蓋５が閉じられた時に、外側蓋５の前面パネル１７が実質的に歯３７と垂直であるので、外側蓋５を（再度）開けることよりも幾分たやすい。すなわち、外側蓋５が閉じられた時、歯３７は対応する梯子状配列２５のスロット２６と完全に係合し、よって、外側蓋５の開きに強い抵抗を供する。この効果は、パック１の「あくび」の傾向を克服するのに役立つ。
【国際調査報告】
2012510934.tif 000014
2012510934.tif 000015
2012510934.tif 000016